(57)【要約】【課題】検体保持容器中の検体の一部を新たな検体保持容器に注入するにあたり、検体保持容器に取り付けられた識別表示部材の識別情報を転記した識別表示部材を取り付けた新たな検体保持容器に検体の一部を間違いなく注入する方法及びそれに用いる容器の供給装置を提供することである。【解決手段】  検体の入った検体保持容器に取り付けられた検体識別表示部材の識別情報を読み取り、その情報を保有している演算記憶装置に送る。その情報を受け取った演算記憶装置は、その情報を転記する指示を印字装置に出し新たな識別表示部材に印字させる。さらに印字された識別表示部材を新たな空の検体保持容器に自動的に取り付ける。新たに識別表示部材を取り付けた空の検体保持容器の識別情報を読み取り、演算記憶装置に送る。空の検体保持容器から送られてきた情報と検体の入った検体保持容器から送られてきた情報が一致していることを演算記憶装置が判定し、一致している場合にのみ、空の検体保持容器を人為的に取り出し可能な位置に自動的に移送する。 【選択図】  【図１】
2006010530.tif 000002
【特許請求の範囲】
【請求項１】
被験者から採取された検体を収容する容器に取り付けられた検体識別表示部材から情報を読み取る工程（第一工程）、読み取った情報と同一内容を前記検体識別表示部材とは異なる検体識別表示部材に転記表示する工程（第二工程）、転記表示された検査識別表示部材を前記容器とは異なる容器に取り付ける工程と当該容器を取り出し不可能な位置で保持する工程（第三工程）、取り付けられた検体識別表示部材から情報を読み取る工程（第四工程）、読み取った情報と第一工程において読み取った情報を照合し、両情報が一致しているか否かを判定する工程（第五工程）、判定した結果が一致している場合にのみ、第三工程において検体識別表示部材を取り付けた容器を取り出し可能な位置に導く工程（第六工程）、及び前記被験者から採取された検体の少なくとも一部を第六工程において導かれた容器に注入する工程（第七工程）からなることを特徴とする検体処理方法。
【請求項２】
被験者から採取された検体を収容する容器に取り付けられた検体識別表示部材から情報を読み取る工程（第一工程）、読み取った情報と同一内容を前記検体識別表示部材とは異なる検体識別表示部材に転記表示する工程（第二工程）、転記表示された検査識別表示部材を前記容器とは異なる容器に自動的に取り付ける工程と当該容器を取り出し不可能な位置で保持する工程（第三工程）、取り付けられた検体識別表示部材から情報を読み取る工程（第四工程）、読み取った情報と第一工程において読み取った情報を照合し、両情報が一致しているか否かを判定する工程（第五工程）、照合された情報が一致している場合にのみ第三工程において検体識別表示部材を取り付けた容器を取り出し可能な位置に自動的に導く工程（第六工程）を連動させることを特徴とする検体処理装置。
【発明の詳細な説明】
【技術分野】
【０００１】
本発明は、被験者から採取された血液等の検体を収容する検体容器に取り付けた所定の表示部材の情報と同一の内容を有する表示部材を自動的に貼り付けた別の容器を供給し、検査センターにおける作業の効率化と、検体の取り違い等を防止することのできる検体処理方法及び装置に関する。
【背景技術】
【０００２】
医療現場では、試験管状の検体容器に血液等の検体を採取して、各種の検査に提供されている。このような検体検査は病院内のみならず、病院や診療所等の医療機関において、被験者から検体を採取して外部機関である検査センターに輸送し、当該検査センターにて実施された検査結果が各医療機関にフィードバックされるシステムが一般的に行われている。
【０００３】
各医療機関で採取された検体は、検査依頼情報等を記載された検査依頼書と関連付けられたバーコードを貼り付けた検体容器に入れられる。採取された検体が血液で、その血清画分を検査に用いる場合には、血液を遠心分離した後、上清画分に得られる血清画分を分離し、別の新たな容器に移し替える必要がある。その際、新たな容器に表示されている情報と医療機関から届けられた検体容器に表示されている情報が関連付けられていることを確認する必要がある。この作業を人手を介して各検体容器とそのラベルの氏名等の対応関係を確認しながら行なう場合には、当該作業に大変な精神的集中力を必要とし、人為的なミスを生じ得るという不都合がある。
手作業による人為的ミスを防ぐ方法として特許文献１に開示されているような、バーコードによる検体取扱いシステムは数多く知られている。しかしながら、元の検体をその検体情報と共に間違いなく手作業で移し替える方法は知られていない。
【特許文献１】特開２００３−２９４７６４
【発明の開示】
【発明が解決しようとする課題】
【０００４】
本発明の課題は、上記の不都合を解決することであり、検体の入った検体保持容器の検体の一部を新たな検体保持容器に注入するにあたり、検体の入った検体保持容器に取り付けられた識別表示部材の識別情報と、それを転記表示した識別表示部材を取り付けた新たな検体保持容器に、検体の一部を間違いなく注入する方法及びそれに用いる装置を提供することである。
【課題を解決するための手段】
【０００５】
本発明は以下の手段からなる。検体の入った検体保持容器に取り付けられた検体識別表示部材の識別情報を読み取り、その情報を保有している演算記憶装置に送る。その情報を受け取った演算記憶装置は、その情報を転記する指示を印字装置に出し新たな識別表示部材に印字させる。さらに印字された識別表示部材を新たな空の検体保持容器に自動的に取り付ける。新たに識別表示部材を取り付けた空の検体保持容器の識別情報を読み取り、演算記憶装置に送る。空の検体保持容器から送られてきた情報と検体の入った検体保持容器から送られてきた情報が一致していることを演算記憶装置で判定し、一致している場合にのみ、空の検体保持容器を人為的に取り出し可能な位置に自動的に移送する。移送されてきた空の検体保持容器を手作業にて取り出し、の容器に元の検体保持容器の内容物の少なくとも１部を手作業にて移しかえる。
【０００６】
本発明は以下の構成からなる。
１、被験者から採取された検体を収容する容器に取り付けられた検体識別表示部材から情報を読み取る工程（第一工程）、読み取った情報と同一内容を前記検体識別表示部材とは異なる検体識別表示部材に転記表示する工程（第二工程）、転記表示された検査識別表示部材を前記容器とは異なる容器に取り付ける工程と当該容器を取り出し不可能な位置で保持する工程（第三工程）、取り付けられた検体識別表示部材から情報を読み取る工程（第四工程）、読み取った情報と第一工程において読み取った情報を照合し、両情報が一致しているか否かを判定する工程（第五工程）、判定された結果が一致している場合にのみ、第三工程において検体識別表示部材を取り付けた容器を取り出し可能な位置に導く工程（第六工程）、及び前記被験者から採取された検体の少なくとも一部を第六工程において導かれた容器に注入する工程（第七工程）からなることを特徴とする検体処理方法。
２、被験者から採取された検体を収容する容器に取り付けられた検体識別表示部材から情報を読み取る工程（第一工程）、読み取った情報と同一内容を前記検体識別表示部材とは異なる検体識別表示部材に転記表示する工程（第二工程）、転記表示された検査識別表示部材を前記容器とは異なる容器に自動的に取り付ける工程と当該容器を取り出し不可能な位置で保持する工程（第三工程）、取り付けられた検体識別表示部材から情報を読み取る工程（第四工程）、読み取った情報と第一工程において読み取った情報を照合し、両情報が一致しているか否かを判定する工程（第五工程）、判定された結果が一致している場合にのみ、第三工程において検体識別表示部材を取り付けた容器を取り出し可能な位置に自動的に導く工程（第六工程）を連動させることを特徴とする検体処理装置。
【発明の効果】
【０００７】
本発明は、元の検体保持容器の識別情報を転記した検体識別表示部材を取り付けた新たな容器に、間違いなく元の検体の一部を注入することができ、検体注入時間の大幅な短縮が可能になるといった格別の効果をもたらす。
【発明を実施するための最良の形態】
【０００８】
本発明における検体取り扱い方法は、元の容器からその一部又は全てを新たな容器に注入、或いは移し替えするものであれば、特に限定されるものではないが、とりわけ血液、尿等の取り扱い方法が対象となる。なかでも血液より血清画分を分画して、新たな容器に注入或いは移し替えする場合の検体の処理方法として好適である。血清は遠心分離操作により血液の血球及び凝固画分を除いた画分であるが、正確な検査のためには遠心分離後、血球及び凝固画分から血清画分を分画しておく必要がある。
その場合、新たな容器に血清画分を移し替えるに当たり、元の検体識別情報が転記された容器に間違いなく移し替える必要がある。
【０００９】
医療機関において、検査依頼情報と紐付けされたバーコードが検体採取された容器に貼り付けられる。検査依頼情報の内容はホストコンピューターに登録される。医療機関から検査センターに移送された検体を検査するにあたり、検査材料が血清の場合には、血清分離し、血清画分を新たな容器に移し替えた後、検査に供される。また同一検体を複数の容器に分けて複数の検査に供される場合もある。このような検体の移し替えや注入作業において、元の検体情報が確実に新しい容器に引き継がれなければならない。本発明は上記の作業を確実に行うための方法及び装置を提供する。
【００１０】
検体採取された元の検体保持容器に貼り付けられているバーコードをバーコード読み取り機で読み取り、その情報をコンピューターに伝える。情報を受け取ったコンピューターは同一の情報を、バーコードプリンターに伝え適当なラベルにバーコードを印字させる。バーコード印字されたラベルは、新たな試験管等の容器の外側に自動的に貼り付けられる。そして貼り付けたバーコードラベルの情報を、検体の入った元の検体保持容器のバーコードを読み取ったバーコード読み取り機とは異なるバーコード読み取り機で読み取り、その読み取った情報をコンピューターに伝える。その間、新たな容器は、外部から容易に取り出すことのできない位置で保持されている。すなわちバーコードを貼り付けた位置にとどめておく。本工程においては、新たな容器に、検体識別情報を転記したバーコードを貼り付ければ、その順序は問わない。すなわち、印字されたバーコードを空の新たな容器に貼り付けてもよいし、ラベルを貼り付けた容器にバーコードを印字してもよい。
【００１１】
新たな容器のバーコードから読み取られた情報が、元の検体保持容器のバーコードからの情報と一致するか否かを判断し、一致した場合にのみ、新たにバーコードを貼り付けられた試験管を作業員が取り出せる位置に移送させる動作を行う。そして作業員は取り出した試験管に元の検体保持容器内の血清画分を注入又は移し替える。
【００１２】
もし、情報が不一致であれば、バーコードラベルを貼られた試験管は、作業員が取り出せない位置に送られ、取り違えの起こらないようにされる。このようにして、新たに供給される試験管に取り付けられる検体情報と元の検体保持容器の検体情報は必ず一致するか、あるいは間違いなく関連付けられる。
【００１３】
ここで、用いるバーコードは、その形式は特に限定されるものではなく、検体を特定できる情報を伝達しうるものであればよい。例えば、JAN(EAN)/短縮、UPC-A/UPC-E、CODE-39、NW-7(CODABAR)、ITF(Interleaved 2of5)、CTF(Code 2of5 | Industrial 2of5)、IATA(IATA 2of5)、MATRIX(Matrix
2of5)、NEC(NEC 2of5 | COOP
2of5)、カスタマーバーコード、CODE-128、CODE-93、QRコード、マイクロQRコード、DataMatrix（ECC2000）、DataMatrix（ECC2000長方形）、PDF417等が挙げられる。
【００１４】
検体保持容器はその形状、材質等特に限定されるものではなく、血液の場合にはガラス又は合成樹脂製の試験管が広く用いられている。
【００１５】
本発明の装置は、採取された検体の入った検体保持容器に取り付けられたバーコードの情報を転記する機能と転記されたバーコードを印字し、新たな容器にバーコードを取り付ける機能、そして元の検体保持容器のバーコードの情報と、新たな容器のバーコードの情報が一致した場合のみリアルタイムで新たな容器を供給する機能を具備しておけば良い。必要とする演算記憶機能は、装置本体に具備されているか或いは外部コンピューターを利用しても良い。
【実施例１】
【００１６】
本発明の実施例を図１に示した。医療機関から移送されてきた検体は検体情報の紐付けされたバーコードを貼り付けている試験管１に保持されている。そのバーコードを専用のバーコード読み取り装置２で読み取り、その情報を演算記憶装置３に送る。演算記憶装置３は送られてきた情報を元に、バーコード印字装置５にバーコードの印字を命令する。バーコード印字装置はラベルに印字して空の試験管４に貼り付けるか、或いは前もって白紙のラベルを空の試験管４に貼り付けているラベルにバーコードを印字する。印字されたバーコードをバーコード読み取り装置７で読み取り、その情報を演算記憶装置３に送る。演算記憶装置は送られてきた情報を試験管１から送られてきた情報と照合し、一致していた場合には、バーコード貼付け済み試験管６を自動的に、作業員が手作業で取り出し可能な位置に移動させ、試験管を供給する。作業員は取り出した試験管６に試験管１の上清を移し替えて一連の作業を終了する。
【産業上の利用可能性】
【００１７】
本発明は、検査センターでの検体の処理方法及び処理装置として利用される。
【図面の簡単な説明】
【００１８】
【図１】は本発明の装置及び検体処理方法のフロー図である。
【符号の説明】
【００１９】
１、    
採取検体を入れている試験管
２、    
検体保持試験管専用バーコード読み取り装置
３、    
演算記憶装置
４、    
空の試験管
５、    
バーコード印字装置
６、    
バーコード貼付け済み試験管
７、    
バーコード貼付け済み試験管専用バーコード読取装置
８、    
取り出された試験管
【図１】
2006010530.tif 000003